(57)【特許請求の範囲】
【請求項１】
一対の支柱脚間に踏桟を適宜間隔で取付けて梯子状の主脚を形成し、主脚の一対を対向させ、上端を折畳金物で回動自在に軸着して、折畳金物により対の主脚はそれぞれ開き体となるものに使用し、一端を一方の開き体に軸着ピンで軸支し、先端部に他方の開き体に設けた係止ピンに係合する切り欠き溝を形成した横長片からなる脚立等の開き止め金具を用いた係止構造において、
一対の開き体が折り畳まれている状態で、前記係止ピンの中心と前記切り欠き溝内でこの係止ピンが収まるべき個所の中心は開き止め金具を係止ピンに掛ける前では、前者を軸着ピン方向からみて後者よりも遠ざけるようにずらして位置させ、前記切り欠き溝はその開口内方は前記軸着ピンと反対側にえぐれる様にし、
横長片は、開き止め金具を係止ピンに掛ける前に係止ピンと当たる部分が、前記収まるべき個所に係止ピンを案内するように円弧に形成されていることを特徴とする脚立等の係止構造。
【請求項２】
前記収まるべき個所は円弧であって、曲率半径が、係止ピンと当たる部分の円弧に対して小さく形成されている請求項１記載の脚立等の係止構造。
【請求項３】
前記収まるべき個所の円弧と、係止ピンと当たる部分の円弧とは連続してＳ字カーブを描く請求項２記載の脚立等の係止構造。
【請求項４】
横長片のこの切り欠き溝より先の部分は勾玉状であり、横長片の上下幅は切り欠き溝を挟んで切り欠き溝より先の部分の幅を切り欠き溝より軸着ピン側の幅よりも小さく形成し、また、切り欠き溝開口は切り欠き溝より先の方側に広げた請求項１ないし請求項３のいずれかに記載の脚立等の係止構造。
【請求項５】
係止ピンは、開き止め金具の掛着部を糸巻ドラム状のくびれを有するドラム体とする請求項１ないし請求項４のいずれかに記載の脚立等の係止構造。
【請求項６】
一方の開き体は、一対の支柱脚間に複数の踏桟を適宜間隔で取り付けて形成した梯子枠であり、該梯子枠の一対を対向させ上端を相互に回動自在に軸着した脚立とする請求項１記載の脚立等の係止構造。
【発明の詳細な説明】
【技術分野】
【０００１】
本発明は、脚立、脚立式足場、可搬式作業台など脚立等の脚立等の係止構造に関するものである。
【背景技術】
【０００２】
脚立を例に取ると、従来、周知のように例えば一対の支柱脚間に複数の踏桟を適宜間隔で取り付けて梯子枠を形成し、該梯子枠の一対を対向させ上端を相互に回動自在に軸着し、軸着部である最上段の部分に踏板を設け、軸着部を回動することで一対の脚部を開閉すると同時に踏板を折り畳みまたは開いて使用し、または不使用時に収納するようにしたものである。
【０００３】
ところで、このような脚立では、２つの開き止め金具があり、そのうち一つは下記特許文献にもあるような脚立の使用時に、梯子枠をハの字に開いた状態で、その開きを固定するものである。
【特許文献１】特開２０１０−９０５６４号公報
【０００４】
他は、適宜な先行技術文献はないが、不使用時に運搬、収納するために、梯子枠を双方合わせて閉じた状態でその開きを固定するものである。
【０００５】
後者には、掛金３０が使用され、図１１に示すように、この掛金３０は、一端を一方の梯子枠の支柱に端部を軸着ピン３１で軸支し、先端部に他方の梯子枠の支柱に設けた係止ピン３２に係合する切り欠き３３形成した横長片３４からなるものである。
【０００６】
そして、切り欠き３３は略Ｕ字形のものであるが、係止ピン３２が挿入し易いように、係止ピン３２の軸の芯と切り欠き３３の中央は軌跡が合うように合致させ、さらに、切り欠き３３は開口から直線的に奥に切り込むか、もしくは、横長片７の回転軌跡にあうような多少円弧を描くようなものである。
【発明の開示】
【発明が解決しようとする課題】
【０００７】
しかしながら、このような掛金３０は永年の使用でどうしてもガタが生じ、係止ピン３２が切り欠き３３から抜け出て、外れ易くなる。
【０００８】
運搬中での掛金３０の外れは、畳んでいる梯子枠相互が開く事態を招き、事故にもつながるおそれもある。
【０００９】
本発明の目的は前記従来例の不都合を解消し、掛け易く、かつ外れ難いものとすることができるので、安全性を向上させることができる脚立等の係止構造を提供することにある。
【課題を解決するための手段】
【００１０】
本発明は前記目的を達成するため、本発明は、第１に、一対の支柱脚間に踏桟を適宜間隔で取付けて梯子状の主脚を形成し、主脚の一対を対向させ、上端を折畳金物で回動自在に軸着して、折畳金物により対の主脚はそれぞれ開き体となるものに使用し、一端を一方の開き体に軸着ピンで軸支し、先端部に他方の開き体に設けた係止ピンに係合する切り欠き溝を形成した横長片からなる脚立等の開き止め金具を用いた係止構造において、
一対の開き体が折り畳まれている状態で、前記係止ピンの中心と前記切り欠き溝内でこの係止ピンが収まるべき個所の中心は開き止め金具を係止ピンに掛ける前では、前者を軸着ピン方向からみて後者よりも遠ざけるようにずらして位置させ、前記切り欠き溝はその開口内方は前記軸着ピンと反対側にえぐれる様にし、横長片は、開き止め金具を係止ピンに掛ける前に係止ピンと当たる部分が、前記収まるべき個所に係止ピンを案内するように円弧に形成されていることを要旨とするものである。
【００１１】
第２に、前記収まるべき個所は円弧であって、曲率半径が、係止ピンと当たる部分の円弧に対して小さく形成されていること、第３に、前記収まるべき個所の円弧と、係止ピンと当たる部分の円弧とは連続してＳ字カーブを描くことを要旨とするものである。
【００１２】
第４に、横長片のこの切り欠き溝より先の部分は勾玉状であり、横長片の上下幅は切り欠き溝を挟んで切り欠き溝より先の部分の幅を切り欠き溝より軸着ピン側の幅よりも小さく形成し、また、切り欠き溝開口は切り欠き溝より先の方側に広げたこと、第５に、係止ピンは、開き止め金具の掛着部を糸巻ドラム状のくびれを有するドラム体とすること、第６に、一方の開き体は、一対の支柱脚間に複数の踏桟を適宜間隔で取り付けて形成した梯子枠であり、該梯子枠の一対を対向させ上端を相互に回動自在に軸着した脚立とすることを要旨とするものである。
【００１３】
請求項１記載の本発明によれば、切り欠きはその開口から係止ピンが中に入る際には、開口外側縁が係止ピンの外周外側端に当たり、そのまま多少押し込まねばならないような状態となるが、前記開口をすぎて係止ピンは切り欠きの奥にすすむとえぐれ部分に収まり、前記押し込み状態は解除され、かつ、開口から抜け出難いものとなる。
【００１４】
請求項３記載の本発明によれば、前記請求項１の作用に加えて、切り欠き溝内に入り込む係止ピンはＳ字カーブに従って移動し、えぐれ部分にスムーズに移動する。
【００１５】
請求項４記載の本発明によれば、横長片の上下幅は切り欠きを挟んで切り欠き溝より先の部分の幅を切り欠き溝より軸着ピン側の幅よりも小さく形成し、また、切り欠き溝開口は切り欠き溝より先の方側に広げたことで、切り欠き溝開口の間口は係止ピンに対向する側が広く形成でき、係止ピンを切り欠き溝内に入れ易いものとなる。
【００１６】
請求項５記載の本発明によれば、係止ピンは、開き止め金具の掛着部を糸巻ドラム状のくびれを有するドラム体とすることで、開き止め金具が掛る際に切り欠き溝内に入り込む係止ピンはよりすべり易いものとなり、えぐれ部分にスムーズに移動することができる。
【００１７】
請求項６記載の本発明によれば、本発明の開き止め金具を、一対の支柱脚間に複数の踏桟を適宜間隔で取り付けて形成した梯子枠の一対を対向させ上端を相互に回動自在に軸着した脚立に適用したものであり、脚立の不使用時には、開き止め金具により梯子枠を双方合わせて閉じた状態でその開きを固定することができ、運搬、収納に適した状態が得られる。
【発明の効果】
【００１８】
以上述べたように本発明の脚立等の係止構造は、一端を一方の開き体に軸着ピンで軸支し、先端部に他方の開き体に設けた係止ピンに係合する切り欠き溝を形成した横長片からなる脚立等の開き止め金具において、掛け易く、かつ外れ難いものとすることができるので、安全性を向上させることができるものである。
【発明を実施するための最良の形態】
【００１９】
以下、図面について本発明の実施の形態を詳細に説明する。図７〜図１０は本発明の脚立等の係止構造を備えた脚立式作業台を示すもので、上部に手摺支柱部分４を延設した一対の支柱脚１間に踏桟２を適宜間隔で取付けて梯子状の主脚３を形成した。
【００２０】
主脚３の一対を対向させ、一方の主脚３を長尺に、他方の主脚３をこれよりも多少短尺に形成し、長尺な主脚３の上端よりも多少下方位置に短尺な主脚３の上端を折畳金物９で回動自在に軸着した。このようにして、折畳金物９により、一対の主脚３は、それぞれ開き体となる。
【００２１】
かかる支柱脚１の上部位置で主脚３間に作業床用天板６を折畳み自在に掛け渡す。作業床用天板６は、一端が長尺な主脚３に回動自在に軸着され、他端が水平の使用状態で短尺な主脚３よりも外方に突出する幅に形成する。図中７は、一端が天板６の下面に回動自在に軸着され、他端が短尺な主脚３に取付けてある踏桟２に回動自在に軸着されるアーム状のステイを示す。
【００２２】
長尺な主脚３の上端に前記作業床用天板６の突出方向と同じ方向に突出する手摺枠８を主脚３に添う収納状態から上下方向に出没自在に取付ける。該手摺枠８はブラケット２３により、軸支し、バネによりこのブラケット２３の所定位置にロックできるようにした。
【００２３】
図中１５は開き体である一対の主脚３のうち、長尺な主脚３に軸着ピン１６による回動軸着部を介して軸支される開き止め金具で、先端部に他方の開き体である短尺な主脚３に設けた係止ピン１７に係合する切り欠き溝１８を形成した横長片からなる。
【００２４】
切り欠き溝１８と係止ピン１７の関係は、係止ピン１７の中心αと前記切り欠き溝１８内でこの係止ピン１７が収まるべき個所の中心βは開き止め金具１５を係止ピン１７に掛ける前では、前者中心αを軸着ピン１６の方向からみて後者中心βよりも遠ざけるようにずらして位置させた。
【００２５】
また、前記切り欠き溝１８はその開口１８ａの内方は前記軸着ピンと反対側にえぐれ部１９を確保してえぐれる様にした。
【００２６】
さらに、前記切り欠き溝１８は、横長片の先端部に下向きに開口するものであり、軸着ピン１６側から見て、横長片のこの切り欠き溝１８より先の部分の下側は少なくとも切り欠き溝１８の開口部側を円弧２０に形成した。この円弧２０には前記開口内方のえぐれ部１９のえぐれが連続してＳ字カーブ２１を描くものとなる。
【００２７】
図４に示すように、前記収まるべき個所は円弧であって、曲率半径が、係止ピンと当たる部分の円弧に対して小さく形成されている。
【００２８】
同じく図４に示すように、前記収まるべき個所の円弧と、係止ピンと当たる部分の円弧とは連続してＳ字カーブを描く。
【００２９】
横長片のこの切り欠き溝１８より先の部分γは勾玉状であり、横長片の上下幅は切り欠き溝１８を挟んで切り欠き溝１８より先の部分の幅を切り欠き溝１８より軸着ピン１６側の幅よりも小さく形成し、また、切り欠き溝１８の開口は切り欠き溝１８より先の方側に広げるようにした。
【００３０】
また、横長片の上辺で前記切り欠き溝１８の上方に摘み片２２を手前側に直角に曲げ形成することで一体に設けた。
【００３１】
図５に示すように、係止ピン１７は開き止め金具１５の掛着部を糸巻ドラム状のくびれを有するドラム体１７ａとした。このくびれを利用して係止ピン１７は開き止め金具１５の切り欠き溝１８の開口部から内方のえぐれ部１９に入り込む。
【００３２】
また、図示は省略するが、開き止め金具１５の回転方向と直角方向のアソビを設ける為、軸着ピン部１６にスブリングワッシャーを２枚を開き止め金具１５を挟む様に仕込んである。これにより開き止め金具１５の回転方向と直角方向の左右にアソビができ、より開き止め金具１５を掛けやすくしている。
【００３３】
次に使用法について説明する。不使用時には図５、図１０に示すように長尺な主脚３と短尺な主脚３は折畳金物９を中心軸として平行に折畳まれている。
【００３４】
この状態で、作業床用天板６とステイ７は、一端がそれぞれの主脚３との回動軸着部を介して回動し、長尺な主脚３と短尺な主脚３との間で他端が上方に移動して扁平に折畳まれている。
【００３５】
この状態から作業台を使用するには、長尺および短尺な主脚３を折畳金物９を介して図７に示すように左右に回動し全体をハ字状に広げれば、主脚３の広がりに追随して作業床用天板６とステイ７もそれぞれの主脚３との軸着部を中心にして下方に回動し、長尺および短尺な主脚３，３の間で水平位置まで移動する。
【００３６】
この水平位置で作業床用天板６は、途中が主脚３に設けてある踏桟２を使用した天板受け材の上に載置し、この天板受け材で下方から支承される。そして、作業床用天板６は、回動軸着部とは反対側の先端が主脚３よりも外方に突出するから、壁面などの作業箇所に近接して作業床用天板６を位置させることができ、作業性の向上が図れる。
【００３７】
また、対向する主脚３，３は、一方を長尺に他方を短尺に形成してあるから、上部の回動軸着部が長尺な主脚３の上端に位置せず、これよりも下方位置となるから、長尺な主脚３に短尺な主脚３が寄りかかるような状態となり、対向する主脚を上端で軸着する場合に比較して安定性を増すことができる。
【００３８】
手摺枠８のセットは、主脚３に添って収納されている手摺枠８を回転させて引き上げる。略水平位置で手摺枠８はブラケット２３の切り欠きにピンが入り込み回動が阻止されてこの略水平位置に係止される。
【００３９】
よって、作業中に手摺枠８が外れるおそれがなく、作業の安全を確保できる。また、手摺枠８のセットは、上方への引き出しと、水平方向への回動とで行えるから、作業床用天板６上に載っている作業員の邪魔になることもない。
【００４０】
そして、手摺枠８は、主脚１から外方水平方向に突出している作業床用天板６の上方に位置するから、作業床用天板６の突出部分に載って作業する作業員の安全を確保できる。
【００４１】
使用後、図１０に示すように長尺な主脚３と短尺な主脚３は折畳金物９を中心軸として平行に折畳む際には、開き止め金具１５を係止ピン１７に掛けて主脚３同士の開きを防止する。
【００４２】
摘み片２２を指で挟んで、開き止め金具１５を回動し、切り欠き溝１８はその開口１８ａから係止ピン１７が中に入る際には、開口１８ａの外側縁が係止ピン１７の外周外側端に当たり、そのまま多少押し込まねばならないような状態となるが、前記開口１８ａをすぎて係止ピン１７は切り欠き溝１８の奥にすすむとえぐれ部１９に収まり、前記押し込み状態は解除され、かつ、開口１８ａから抜け出難いものとなる。
【００４３】
その結果、開き止め金具１５は係止ピン１７から外れ難いものとなり、運搬途中で主脚３同士が開いてしまうことはない。
【００４４】
このような動きは、係止ピン１７の糸巻ドラム状のくびれを有するドラム体１７ａにより、摩擦抵抗が少なくスムーズに行うことができる。
【００４５】
一方、使用に際して開き止め金具１５を係止ピン１７から外すには、逆の動作で、摘み片２２を指で挟んで開き止め金具１５を上方に引き上げるように回動すれば、係止ピン１７はＳ字カーブ２１の出っ張りを乗り越えながらえぐれ部１９から抜け出て、切り欠き溝１８から外れる。
【００４６】
前記実施形態は本発明の開き止め金具を脚立式作業台に適用した例について説明したが、このような脚立式作業台のみならず、脚立、脚立式足場、可搬式作業台など開き体相互の開きを防止する場合において、適用可能なものである。
【図面の簡単な説明】
【００４７】
【図１】本発明の脚立等の係止構造の１実施形態を示す正面図である。
【図２】本発明の脚立等の係止構造の１実施形態を示す平面図である。
【図３】本発明の脚立等の係止構造の１実施形態を示す側面図である。
【図４】本発明の脚立等の係止構造の１実施形態を示す要部の正面図である。
【図５】本発明の脚立等の開き止め金具と係止ピンの関係を示す平面図である。
【図６】本発明の脚立等の係止構造を備えた脚立式作業台の要部の側面図である。
【図７】本発明の脚立等の係止構造を備えた脚立式作業台の側面図である。
【図８】本発明の脚立等の係止構造を備えた脚立式作業台の正面図である。
【図９】本発明の脚立等の係止構造を備えた脚立式作業台の背面図である。
【図１０】本発明の脚立等の係止構造を備えた脚立式作業台の折り畳んだ状態の側面図である。
【図１１】従来例を示す正面図である。
【符号の説明】
【００４８】
１  支柱脚                ２  踏桟
３  主脚                  ４  手摺支柱部分
５  手摺                  ６  作業床用天板
７  ステイ                ８  手摺枠
９  折畳金物              １０  案内突起
１１  ガイド長孔          １２  支持部材
１３  固定金具            １４  係合部材
１５  開き止め金具        １６  軸着ピン
１７  係止ピン            １７ａ  ドラム体
１８  切り欠き溝
１８ａ  開口              １９  えぐれ部
２０  円弧                ２１  Ｓ字カーブ
２２  摘み片              ２３  ブラケット
【図１】
0006300217.tif 000002
【図２】
0006300217.tif 000003
【図３】
0006300217.tif 000004
【図４】
0006300217.tif 000005
【図５】
0006300217.tif 000006
【図６】
0006300217.tif 000007
【図７】
0006300217.tif 000008
【図８】
0006300217.tif 000009
【図９】
0006300217.tif 000010
【図１０】
0006300217.tif 000011
【図１１】
0006300217.tif 000012